【手続補正書】
【提出日】平成18年9月15日(2006.9.15)
【手続補正１】
【補正対象書類名】明細書
【補正対象項目名】００１０
【補正方法】変更
【補正の内容】
【００１０】
適当な首部の形状が図２に示される。ボトル１０の開口１１の周りの薄い壁１２は、シール直径のより高度な精密性のための迅速なガラスの冷却を促進する。輸送用尾根部（ｔｒａｎｓｆｅｒ  ｂｅａｄ）における厚い部分１３は、ポンプの保持のための「シンク（溝）」又はアンダーカット（切り込み）１６を形成する。更に、押し込まれることができるポンプを使用するために設計されるがしかし、新規な完成品は従来の取り付け（クリンプ）を可能にする。１つの実施の形態においてこれは、１５ｍｍの取り付けであって良い。従って、フェルールにより設置されるポンプの使用に適するために、取り付け（クリンプ）表面１４が形成される。
【手続補正２】
【補正対象書類名】明細書
【補正対象項目名】００１４
【補正方法】変更
【補正の内容】
【００１４】
入口シール弁１０９はポンプ室１０７の底部付近に設置される。ピストン１０５の内側への運動において、弁１０９は入口１１１をポンプ室に対してシールする。従来の形態では、ポンプ室１０７内に圧力が形成されるので、バルブステム１１３はシート１１５から内側に離れるように動く。これは、材料が出口１１７を通り噴霧器１１８へ分配されることを可能にする。ポンプの作動は従来通りであり、前述の米国特許第５，２７７，５５９号に開示される。その特許に開示されるように、ポンプは設置カップを有する容器に設置されていたが、設置カップは、ポンプ及び容器に取り付け（クリンプ）なければならなかった。更にポンプは、ポンプの外側端部にシールデバイスを具備していた。幾つかの例において、これは「ハウジングキャップ」と呼ばれる。
【手続補正３】
【補正対象書類名】明細書
【補正対象項目名】００１５
【補正方法】変更
【補正の内容】
【００１５】
本発明に従い、ポンプは再組み立てされて異なる「ハウジングキャップ」１２１を図３に示すように組み込んだ。この要素はプラグと呼ばれても良い。図示されるポンプは、Ｅｍｓａｒ（エンザー）により３１ＭＳの名称で販売されるポンプの改変形態である。しかし、本発明の思想は、頂部閉鎖部を有する幾つかの種類のハウジングを使用する別のポンプ又は分配器（ディスペンサ）に適用可能である。ポリエチレン製ハウジングキャップ１２１は上部の（外側に）傾斜したシリンダ領域１２３を有しており、シリンダ領域１２３は１つの実施の形態において、第１の１ｍｍのボトル開口、即ち図２の薄い部分１２に係合するのに適する。この領域はシール用に使用される。ハウジングキャップ１２１の下部１２９はポンプハウジング１０３に接続する。この領域は、比較的厚い部分１２６を有しており、それがボトルネック（首部）の比較的不正確な領域内に圧入されるので、ポンプハウジング１０３を補強するために使用される。図示されるように、比較的厚い部分１２６は、ビーズ（数珠玉）横断面を有しており、ポンプハウジングの内面の凹部１２８に係合する。ポンプハウジング１０３は、ガラス体の寸法に依存して、ガラス体の内面に接触してもあるいはしなくても良い。プラグは、平らな内面１２２を有する環状フランジ１２４を有するその外側の端部において終結する。
【手続補正４】
【補正対象書類名】明細書
【補正対象項目名】００１７
【補正方法】変更
【補正の内容】
【００１７】
図４はボトルの首部に設置されたポンプ１０１を示す横断面図である。ポンプハウジング１０４の上部拡大部分１４１は、それが押されてボトル１０に形成された保持アンダーカット１６に接触するので、ボトルの首部内にポンプを保持する。プラグの傾斜部分１２３は首部の外側部分１２に係合してシールを形成し、その際フランジ１２４の平らな内面１２２は開口の頂部の平面１４５に対して隣接する。ポンプの機能構成要素の全てはボトルネックの下で動かされており、変化するボトルとの干渉部により影響されない。
【手続補正５】
【補正対象書類名】明細書
【補正対象項目名】００２０
【補正方法】変更
【補正の内容】
【００２０】
図５から１０は、本発明の第１と第２の実施の形態のこれとは別の実施例の横断面図であって、異なるポンプを有するこの実施の形態を示す。図５のポンプ１０１ａにおいて、入口弁はボール逆止弁であり、シート２０３に着座するボール２０１を具備する。出口弁は、ピストン１０５ａにおいて開口２０７を通り伸張するステム１１３ａの端部上の部材２０５を具備する。部材２０５はシール面２０９を備えており、そのシール面２０９はピストン１０５ａの内面２１１に対してシールする。通常、バネ（図示されない）は部材２０５を付勢して、表面２１１にシール係合させる。ポンプの作動は、ボール２０１をシート２０３に着座させて、部材２０５をピストン１０５ａから内側方向に動かし、ポンプ室１０７ａ内へ流体を吐出可能にする。図５のハウジングキャップ１２１ａは一般的に、図４のハウジングキャップに似ている。しかし、その下方向への伸長は少しより小さく、その底面は、ステム１１３ａのフランジ２２３に係合してステム１１３ａの上方向の動きを制限するためのアダプタである。
【手続補正６】
【補正対象書類名】明細書
【補正対象項目名】００２２
【補正方法】変更
【補正の内容】
【００２２】
図７〜９はこれとは別の変形形態を示す。図７は外側へ伸張する円筒状部材１３１ａを有するハウジングキャップ１２１ｃを示しており、その円筒上部材１３１内へ、アクチュエータ１１９ｃの下方向に伸張する円筒状部分１３３が伸縮し且つ案内される。これにより、ハウジングキャップ１２１ｃは半径方向外側に伸張する伸張部１３５を有しており、ボトル１０頂部と適合するように形成されており、その端部上に軸方向外側に伸張する部材１３１ａが設けられる。アクチュエータ１１９ｄの内側に伸張する円筒状部分１３３ａが、ハウジングキャップ１２１ｄに形成された外側に伸張する円筒状部材１３１ａ上を滑動する以外は、図８は同様である。
【手続補正７】
【補正対象書類名】明細書
【補正対象項目名】００２６
【補正方法】変更
【補正の内容】
【００２６】
図１１は、ポンプ１０１がボトル１０内の所定位置に圧入されてしまった後の、第２の実施の形態の別の実施例の横断面図である。これは、ハウジングキャップ１２１ｆの詳細だけが相違しており、そのハウジングキャップ１２１ｆはサイドアクションモールド（成形法）（ｓｉｄｅ−ａｃｔｉｏｎ  ｍｏｌｄ）により成形されて、より良好なハウジングの保持のための鋭いアンダーカットを形成する。ハウジングキャップの頂部は図１０のそれ（ハウジングキャップの頂部）とは相違しており、そこでは（図１０）それは平らな半径方向外側に伸張するフランジ２１１である。
【手続補正８】
【補正対象書類名】明細書
【補正対象項目名】００３０
【補正方法】変更
【補正の内容】
【００３０】
ハウジングキャップ１２１ｆは第１の直径の内側円筒状部分３０７を有しており、第１の直径は、より大きな直径の外側円筒状部分３０９に移行して、半径方向に伸張するフランジ３１１におけるその軸方向外側の端部において終結する。フランジ３１１は設置キャップ３０５に保持されており、設置キャップ３０５は内側に伸張する中空円筒状部分３１３を有しており、中空円筒状部分３１３はボトル１０の首部を囲む。外側の円筒状部分３０９は環状の突起又はビーズ３１５を具備する。ビーズ３１５上には、平らな環状表面３２５を形成する別の突起３１７がある。